(57)【要約】      （修正有）【課題】ペーパー引き出し時に受け軸の一部が弾性可動することにより、ロール面が外力方向に対して斜向姿勢となって、ペーパーの斜め切断を助勢し、一連操作の全てが片手で成せるロールペーパーホルダーを提供する。【解決手段】一定の負荷超過時点で受け軸の一部が弾性可動をなし、ペーパー引き出しに係る外力方向Ｃ、に相対するロールペーパーの全幅面が斜向し、破断に要する緊張力が一端へ偏る結果、ミシン目を有効活用して安直に切断出来るようにした。【選択図】図１
2015000326.tif 000002
【特許請求の範囲】
【請求項１】
ペーパー巻芯の中空部に両軸又は片軸仕様の軸棒を貫通させて使用するペーパーホルダーであり、ペーパー引き出し操作時の外力負荷をペーパーロールの回転制御に転化し得る機能を有したロールペーパー用ホルダーにおいて、外力負荷による回転制御機能有効条件下で受け軸の一端が外力方向へ弾性可動をなすことを特徴としたロールペーパーホルダー。
【請求項２】
請求項１に記載のペーパーホルダーを片軸仕様とした場合において、受け軸基盤部（Ｅ）の支持固定を弾性構造と為すことにより、基盤に相反する軸先端部が外力負荷方向へ所定範囲の弾性可倒をなすことを特徴とする請求項１に記載のロールペーパーホルダー。
【請求項３】
請求項１に記載のペーパーホルダーを両軸仕様とした場合において、左右双方の軸基盤部（Ｅ）を弾性軸移動可と為すと共に、軸可動を制御する固定ピン（Ｈ）をそれぞれに備え、左右勝手の任意設定を可能となし、左右何れか一方の受け軸基盤部（Ｅ）が外力方向へ所定範囲の弾性軸移動を為すことを特徴とする請求項１に記載のロールペーパーホルダー。
【発明の詳細な説明】
【技術分野】
【０００１】  ロールペーパー用ホルダーの受け軸構造に関する。
【背景技術】
【０００２】  ロールペーパー（以下「ペーパー」という）は、トイレ用に限らずキッチン用やダスター用途等の生活常備品として定着しており、大半のペーパーには切断用補助機能として捲き方向に直交する所定等間隔のミシン目が施されており、その切断開放値の範囲（ペーパー緊張時におけるミシン目の抵抗範囲）についてはメーカーの独自基準となっている。【０００３】  尚、ペーパー装填用のペーパーホルダー（以下「ホルダー」という）においては、その多くがペーパー巻き芯となる円筒部分にホルダー支持軸を差し入れ、ペーパーロール（以下「ロール」という）の回転により手操作で所望量を引き出した後、補助ミシン目を利用してペーパー切断をおこなう軸受け仕様の構造であり、また、ペーパー切断に際しては、ロール回転を制御する目的で一方の空いた手で付属の上部カバー等を押圧するといった両手使用の操作を前提としており、片手のみの使用を強いられる条件下では不都合な状況が生じていた。【０００４】  この様なペーパー引き出し切断時の片手操作における不都合を解消する提案が多く公示されており、その一例として下記の特許文献を記載する。
【特許文献１】特開２００９−１６００００
【特許文献２】特開２００７−３２４１１６  しかし、文献１にみられるロールの回転を片手操作で制御し且つ引き千切る操作となる考案は、ロール面に直交する引き出し方向への張力がロール回転に一定負荷を掛けつつ、その負荷はペーパー幅方向全面に分散されることになり、緊張抵抗を有するミシン目が限界超過となりペーパー破断に至るには相応の外力負荷が必要であり、また、同様の意味で文献２に見られるように、引き出し操作時におけるロール回転制御機能への依存度が増大するため、片手操作によってペーパーロールの回転制御に至る構造の複雑化は避けられないことになる。【０００５】  尚、上述のペーパー引き出し操作時に回転を制御し結果としてミシン目活用によって切断する仕様内容に関し、例えば、上記の文献２に記載する制御ローラーを活用した場合、付属部品が外力に反応して回転制御機能が発揮され、その外力負荷に起因するペーパー緊張をホルダー受け軸がロール保持力として受け取り、ペーパー引き出し操作方向への直線張力が限界に達した時点でペーパーの破断が成されることになるが、その際、補助ミシン目の一端から斜め方向への切断を意識した斜め操作によっては、直線負荷がペーパーの一端へ偏ることで破断力が増大し軽微な片手操作による切断が可能となるなど、外力負荷方向を変化させる任意操作によっても切断作動の安易性が大きく左右される。
【発明の開示】
【発明が解決しようとする課題】
【０００６】  そこで、引き出し操作時の外力負荷によりロールの回転制御を成し得る機能を有したホルダーにおいて、ペーパー引き出し時の負荷条件下で受け軸の一部が弾性可動を為すことにより、ロール面が外力方向に対して斜向姿勢となって、ペーパーの斜め切断を助勢する一連操作の全てが片手によって成せるロールペーパーホルダーを提供する。
【課題を解決するための手段】
【０００７】  ペーパー引き出し操作時の外力負荷によってロールの回転を制御し得る機能を有するホルダーにおいて、その回転制御によるペーパーの緊張負荷をロール支持軸が受け、外力負荷の条件下で受け軸の一方が弾性可動することにより、ロールの巻き幅面が外力方向に対して傾斜作動をなし、引き出し時にロール全面で均等に受けていた張力負荷が左右何れか一端へ偏る状態となり、引き出し操作に伴う回転制御と共にその余剰外力がミシン目の一端に集約されることで、軽微な片手引き出し操作によって斜め切断を容易為らしめる結果となり、また、上述する外力負荷の条件範囲とは、ペーパー引き出し作用に係るロールの回転制御機能によってペーパーが受ける負荷緊張が破断に耐え得る限界の状態範囲を言う。【０００８】  上述するホルダーにおける一方の軸基盤部や先端部の弾性可動により、外力方向に対してロール面が傾斜を為す場合のペーパー切断については、ミシン目の張力が一端に偏り破断力が高まり斜め破断への補助姿勢となることに加え、弾性復元力が切断時の反作用偶力となって断力助勢につながり、ミシン目が主張する本来の目的を難なく達することが出来る。【０００９】  尚、ホルダーについては両軸と片軸の双方仕様それぞれに可動構造を構築する必要があり、片軸仕様のホルダーにおいては、ロールの芯受けとなる軸基盤部（Ｅ）を外力方向への弾性可倒構造とし、ロール回転制御に係る操作でホルダー受け軸が一定負荷を受けた場合、軸基盤部（Ｅ）に相反する開放側の軸外端部がペーパー引き出し操作時の外力方向（Ｃ）へ所定範囲の弾力可倒を許す構造とすることにより、ペーパー引き出し時の外力負荷がロール受け軸の基盤部方向へ集約され軽微な自然操作で斜め切断を成し、また、ホルダー受け軸の外端部にロール抜け落ちを防止するストッパー（Ｇ）を備え、さらに、片軸ホルダーを壁付きとした場合は上下共通仕様とすることで左右勝手双方仕様への条件対応を成すことになる。図１参照【００１０】  また、両軸仕様のホルダーにおいては、両軸双方の軸基盤部（Ｅ）自体が所定範囲の弾性可動をなす構造とし、さらに、設置状況による左右勝手仕様への対応として軸基盤部（Ｅ）それぞれに軸可動を制御する固定ピン（Ｈ）を備え、何れか一方の軸のみを可動有効とする任意設定を可能となし、ロール回転の制御に係る外力を両軸で受けつつ一定負荷を超過した条件下において、指定軸のみが外力方向（Ｃ）へ所定範囲の弾力可動をなす構造と為し、外力負荷がロール一端方向へ集約されることにより軽微な自然操作でペーパーの斜め切断を成すことになる。図２参照
【発明の効果】
【００１１】  本発明によっては、一般の生活日常における片方が塞がった条件下でのロールペーパー切断は元より、例えば、福祉や医療現場等の業務用ペーパーに使用現場における片手使用を強いられる条件下でのペーパー切断操作でその利便性が高く評価される。【００１２】  また、本発明によると、キッチンロールペーパー用のスタンドホルダー使用時においても、破断開始が下部ベースプレート（軸基盤部）側から始まり、ペーパー上部方向に移行するに連れて微弱な引っ張り強度による容易な切断操作となり、片手使用の有効性が発揮される。
【発明を実施するための最良の形態】
【００１３】  本発明疎作品の実証結果として、受け軸の弾性可動範囲が静止状態のロール面に対する外力方向への傾斜角度は概して３０度前後であることに加え、ロールの捲き締め強度が外力操作時の負荷張力を吸収し得ない一定範囲の巻き締め強度を有していることが好条件となる。
【図面の簡単な説明】
【００１４】
【図１】ペーパー切断時のロール面斜向イメージ図
【図２】両軸ホルダーの機能作動イメージ図
【符号の説明】
【００１５】（１）片軸ホルダー仕様におけるペーパー切断機能図
（２）両軸ホルダー仕様におけるペーパー切断機能図
（３）―イ、引き出し開始時の軸定位置イメージ図
（３）―ロ、ペーパー破断時の外力負荷による軸可動イメージ図
Ａ  引き出し操作時のペーパーロール位置
Ｂ  回転制御時のペーパーロール位置
Ｃ  引き出し操作外力方向
Ｅ  受け軸基盤部
Ｆ  ペーパーロール端部の動き
Ｇ  ストッパー
Ｈ  固定ピン
Ｉ  サイドアーム
Ｊ  サイドパネル
（Ｓ−１）引き出し操作時
（Ｓ−２）回転負荷切断時
【図１】
2015000326.tif 000003
【図２】
2015000326.tif 000004